(57)【要約】【課題】カメラとしての使い勝手を向上させるカメラ付き折り畳み式携帯通信装置を提供する。【解決手段】表示部を有する上側ユニット２００は下側ユニット１００に対して開閉および回転可能に連結され、下側ユニット１００の背面にカメラ１１０が設けられ、側面にカメラシャッタとして使用可能な副操作部１０４が設けられる。上側ユニット２００の表示部２０２を外側に向けて閉じた状態で、カメラシャッタとして用いることができる副操作部１０４が表示部２０２の上に位置する。ユーザは、この状態の携帯通信装置を通常のカメラのように保持することができる。【選択図】      図２
2004336092.tif 000002
【特許請求の範囲】
【請求項１】
表示部を有する第１筐体と、一主表面に操作部を有する第２筐体と、前記第１筐体と前記第２筐体とを開閉可能かつ回転可能に連結するヒンジ部と、を有するカメラ付き折り畳み式携帯通信装置において、
前記表示部を外部に露出して前記第１および第２筐体を閉じた時に前記表示部と平行となる前記第２筐体の他の主表面にカメラ部を設け、かつ、前記第１筐体および前記第２筐体の少なくとも一方の側面に前記カメラ部を操作するための副操作部を設けたことを特徴とするカメラ付き折り畳み式携帯通信装置。
【請求項２】
前記操作部は前記カメラ部のシャッタ機能を有することを特徴とする請求項１記載のカメラ付き折り畳み式携帯通信装置。
【請求項３】
前記表示部は、前記カメラ部を使用する場合、当該カメラ部のファインダとして機能することを特徴とする請求項１記載のカメラ付き折り畳み式携帯通信装置。
【請求項４】
前記第１筐体および前記第２筐体の相対的位置関係を検出する検出手段と、
前記検出手段により前記表示部および前記カメラ部が共に外部に露出して閉じた状態が検出された時に、カメラ機能を有効にする制御手段と、
を更に有することを特徴とする請求項１記載のカメラ付き折り畳み式携帯通信装置。
【請求項５】
前記カメラ部はズーム機能を有し、前記制御手段は前記検出手段により前記閉じた状態が検出されたときに前記ズーム機能を有効にすることを特徴とする請求項４記載のカメラ付き折り畳み式携帯通信装置。
【請求項６】
前記第１筐体および前記第２筐体の相対的位置関係を検出する検出手段と、
前記検出手段により検出された前記相対的位置関係に基づいてカメラ機能の起動および終了を制御する制御手段と、
を更に有することを特徴とする請求項１記載のカメラ付き折り畳み式携帯通信装置。
【請求項７】
前記カメラ部は前記第２筐体に対して着脱可能であることを特徴とする請求項１記載のカメラ付き折り畳み式携帯通信装置。
【請求項８】
前記第１筐体および前記第２筐体の相対的位置関係を検出する検出手段と、
前記表示部および前記カメラ部が同じ方向に露出して開かれた状態を前記検出手段が検出した時に、前記表示部の表示画面を反転ミラー表示に切り替える制御手段と、
を更に有することを特徴とする請求項３記載のカメラ付き折り畳み式携帯通信装置。
【発明の詳細な説明】
【０００１】
【発明の属する技術分野】
本発明は携帯電話機に代表される折り畳み式携帯通信装置に係り、特にカメラ付き折り畳み式携帯通信装置に関する。
【０００２】
【従来の技術】
最近、インターネットブラウザやカメラなどの種々の機能を搭載した携帯電話機が登場しており、単なる電話の枠を超えた携帯情報通信端末として進化を続けている。特に、カメラ付き携帯電話機は、いつでも撮影できるだけでなく、撮影した画像を簡単に送信できるために、若者層を中心に普及しつつある。
【０００３】
カメラ付き携帯電話機では、表示部の面積を大きくしたいという要求から折り畳み構造を採用しているものが多い。折り畳み式携帯電話機の多くは、通話時に２つの筐体を開いてディスプレイとキーとを露出させる構造を有しているが、最近では、閉じた状態でもディスプレイを外側へ向けることができる折り畳み構造が提案されている。
【０００４】
たとえば、特開２００１−３２０４６３号公報（特許文献１）には、表示装置を有するリッジ部が筐体本体に対して２軸方向に回転可能に連結され、表示装置を外側へ向けた状態で閉じることができるカメラ付き携帯端末装置が開示されている（図２参照）。この従来例では、筐体本体の背面あるいは側面にカメラを搭載し、リッジ部を回転させることで外部被写体と撮影者自身とをモニタすることができる（図１、図４参照）。特に、背面にカメラを搭載した場合、表示装置を外側へ向けた状態で閉じると（図２（Ａ）参照）、カメラを外部被写体に向けた時に表示装置に撮影画像を表示でき、それをモニタしながら撮影することが可能になる（段落番号００３２）。
【０００５】
また、特開２００２−３００２３７号公報（特許文献２）には、メインディスプレイの他に裏面にサブディスプレイを設けた開閉折り畳み式携帯装置が開示されている。この従来例では、カメラ撮影中の撮像データをサブディスプレイに表示する場合には上下を反転して見やすくし、撮影中の表示でなければ通常表示に戻すという表示方法が採用されている。
【０００６】
【特許文献１】
特開２００１−３２０４６３号公報（段落番号００３２、図２（Ａ））
【特許文献２】
特開２００２−１５８７５８号公報（段落番号００４３、００４７、図３、図４）。
【０００７】
【発明が解決しようとする課題】
しかしながら、特許文献１に記載されたカメラ付き折り畳み式携帯端末装置では、上述したようにカメラを外部被写体に向けた時に表示装置にカメラ目線の撮影画像を表示できるが、その使用状態は依然としていわゆる「ケータイ」電話機の域を出ていない。このために、カメラとしての使い勝手、すなわち持ち易さ、ボタン類の操作し易さ、シャッター位置などの点で、必ずしもユーザにとって扱いやすいものではなかった。
【０００８】
本発明の目的は、カメラとしての使い勝手を向上させるカメラ付き折り畳み式携帯通信装置を提供することにある。
【０００９】
【課題を解決するための手段】
本発明によるカメラ付き折り畳み式携帯通信装置は、表示部を有する第１筐体と、一主表面に操作部を有する第２筐体と、前記第１筐体と前記第２筐体とを開閉可能かつ回転可能に連結するヒンジ部と、を有するカメラ付き折り畳み式携帯通信装置であって、前記表示部を外部に露出して前記第１および第２筐体を閉じた時に前記表示部と平行となる前記第２筐体の他の主表面にカメラ部を設け、かつ、前記第１筐体および前記第２筐体の少なくとも一方の側面に前記カメラ部を操作するための副操作部を設けたことを特徴とする。前記操作部は前記カメラ部のシャッタ機能を有することが望ましい。
【００１０】
本発明によれば、第１筐体の表示部の向きを変更することにより、カメラシャッタとして用いることができる副操作部を表示部の上に位置するように形態変更可能であり、ユーザは通常のカメラを保持するように保持することができ、操作性および使い勝手が大幅に向上する。
【００１１】
【発明の実施の形態】
以下、携帯電話機を例にとって、本発明の一実施形態によるカメラ付き折り畳み式携帯通信装置を詳細に説明する。
【００１２】
図１は本発明によるカメラ付き折り畳み式携帯電話機の開閉および回転動作の一例を説明するための図であり、（ａ）は表示部を内側にして閉じた状態の携帯電話機の平面図、（ｂ）は上側ユニットを開いた状態の平面図、（ｃ）は表示部を外側にして閉じた状態のカメラ側から見た裏面図、および、（ｄ）は表示部を外側にして閉じた状態の表示部側から見た平面図である。
【００１３】
図１に示すように、カメラ付き折り畳み式携帯電話機５００は、主に、下側ユニット１００と、上側ユニット２００と、これらユニットを連結する２軸式のヒンジ部３００とから構成される。ヒンジ部３００は、後述するように、上側ユニット２００を下側ユニット１００に対して開閉方向および回転方向に移動させることができる。
【００１４】
下側ユニット１００および上側ユニット２００は、所定の厚みを有しほぼ同じ大きさの扁平な長円形状を有する。下側ユニット１００には、その主平面１００ａにテンキーを含むキー操作部１０２とマイクロフォン１０３とが設けられている。
【００１５】
また、下側ユニット１００の側面には、データ通信等の通常動作時には表示部２０２に表示された文字や画像をページスクロールさせ、カメラ機能動作時にはシャッター操作等のカメラ操作を行うことができる副操作部１０４（ここでは、２つのキー１０４ａ、１０４ｂ）が設けられている。この副操作部１０４は、図示しないアンテナの特性に与える影響が少ない側面位置が適宜選択される。
【００１６】
さらに、下側ユニット１００の裏面１００ｂには、図１（ｃ）に示すように、カメラ１１０およびカメラ用光源（ここではフラッシュ）１１１がそれぞれ設けられている。カメラ１１０は、なるべく下側ユニット１００の裏面１００ｂにおける中央部であることが望ましい。カメラ１１０の機能としては静止画／動画を問わない。
【００１７】
上側ユニット２００の主平面２００ａには、ほぼ矩形の表示部２０２が縦長に配置され、またその先端部にはスピーカ２０３および副操作キー２０７が設けられている。なお、上側ユニット２００の背面には、小型の副表示部２０６が設けられている。
【００１８】
図１（ａ）に示す閉じた状態では、下側ユニット１００と上側ユニット２００のそれぞれの主平面１００ａおよび２００ａが重なっており、両ユニットによってキー操作部１０２および表示部２０２等が保護される。
【００１９】
図１（ｂ）に示すように、上側ユニット２００を矢印Ｄ１方向に開くと、キー操作部１０２、表示部２０２、マイクロフォン１０３およびスピーカ２０３が現れ、ダイヤリングやデータ入力等のキー操作および通話が可能になる。
【００２０】
図１（ｂ）に示す開いた状態から上側ユニット２００を矢印Ｄ２方向に回転させることで、図１（ｄ）に示すように、表示部２０２を外側に向けて上側ユニット２００を下側ユニット１００に対して重ねることができる。この状態では、図１（ｃ）および（ｄ）に示すように、下側ユニット１００の裏面１００ｂに設けられたカメラ１１０の開口面と表示部２０２の表示面とが平行になり、カメラ１１０の視線と同じ方向の表示を得ることができ、カメラとして非常に使いやすい状態になる。その際、ユーザにとってカメラ１１０の撮像視線と表示部２０２の表示画面とが直観的にできるだけ一致するように、カメラ１１０の視線と表示部２０２の画面の中心とがなるべく近いことが望ましい。
【００２１】
図２（ａ）は、図１（ｄ）に示すような表示部を外側にして閉じた状態でカメラとして使用する場合の保持形態の一例を示す図であり、（ｂ）は、図１（ａ）に示す閉じた状態から矢印Ｄ２方向に回転させて開いた状態を示す背面図である。
【００２２】
本実施形態による携帯電話機５００は、図２（ａ）に示すように、カメラ機能を使用する場合、下側ユニット１００の裏面１００ｂに配設したカメラ１１０で撮像した画像を上側ユニット２００の表示部２０２に表示させることができる。
【００２３】
さらに、この状態において、図２（ａ）に示すように、下側ユニット１００の側面に設けられた副操作部１０４は横向きの表示部２０２の上に位置するようになる。したがって、ユーザは通常のカメラを保持するように携帯電話機５００を両手で保持することができ、しかも、副操作部１０４をカメラシャッターとして機能させることで、ユーザの指を副操作部１０４のキー（ここでは右端のキー１０４ａ）上に置いてシャッター操作が可能となる。この持ち方は、通常のカメラの持ち方と同じであるために、手ぶれが少なく、また携帯電話機に慣れていないユーザであっても容易にカメラ操作を行うことができる。
【００２４】
さらに、図２（ｂ）に示すような形態にすれば、カメラ１１０と表示部２０２とが同じ方向を向くために、撮像画面をモニタしながら撮影者自身を撮影することも可能である。その際、表示部２０２に表示される画像は、後述する内部処理により反転ミラー表示させることも可能である。この場合にも、副操作部１０４をカメラシャッターとして機能させることで、カメラとしての使い勝手が向上し、手ぶれ等の操作ミスを未然に防止することができる。
【００２５】
本実施形態では、副操作部１０４を下側ユニット１００の側面に設けページスクロールキーおよびシャッタキーに兼用しているが、同様に上側ユニット２００の側面に専用のシャッタキーを配設してもよい。シャッタ専用にすることで、通常のカメラと同じようなシャッタ感覚（クリック感など）を得ることができる。もちろん、副操作部１０４を下側ユニット１００の側面と上側ユニット２００の側面の両方に設けることも可能である。
【００２６】
次に、このような開閉および回転動作を可能にする２軸式のヒンジ部３００の一例を簡単に説明する。なお、ここで例示する２軸式のヒンジ部３００の構造および動作は、本出願人が平成１３年９月２８日に出願した特願２００１−３０３９５９号の明細書に記載されている。
【００２７】
図３は本発明の第１実施形態によるヒンジユニットの斜視図である。図３において、ベースプレート３０４は下側ユニット１００に固定される。ベースプレート３０４の中央には回転トルク発生部（図示せず）を介して回転軸３０１が垂直に設けられている。回転軸３０１は矢印Ｄ２方向に回転可能に支持されている。この回転軸３０１には、回転軸３０１に直交する水平方向に延びた開閉軸３０２が矢印Ｄ１方向に回転可能に支持されている。開閉軸３０２の両端にはそれぞれＬ字形のブラケット３０３が設けられ、これらが上側ユニット２００に固定される。さらに、開閉軸３０２には開閉トルク発生部３０５，３０６および３０８が設けられ、矢印Ｄ１方向に開閉トルクを発生させる。このようなヒンジ部３００により、図１に示すような開閉および回転動作が可能となる。
【００２８】
図４は本実施形態における上側ユニットの姿勢検出機構の一例を示す図であり、（ａ）は下側ユニット１００に設けられた磁気センサの配置図であり、（ｂ）は上側ユニット２００に設けられたマグネットの配置図である。
【００２９】
図４（ａ）に示すように、下側ユニット１００にはヒンジ部３００を中心として円周上に磁気センサ１１２ａおよび１１２ｂが所定の間隔で配置され、更に下側ユニット１００のマイクロフォン１０３の近くに磁気センサ１１２ｃが配置されている。ここでは、磁気センサ１１２ａ〜１１２ｃとしてホール素子を用いる。ホール素子は、磁界の有無だけでなく磁界の向きも同時に検出できるからである。
【００３０】
図４（ｂ）に示すように、上側ユニット２００には、下側ユニット１００の磁気センサ１１２ａおよび１１２ｂに対応する円弧に沿った位置にマグネット２０４ａが埋め込まれており、マグネット２０４ａのＳ極は背面側、Ｎ極は表示部２０２側をそれぞれ向いている。さらに、上側ユニット２００には、下側ユニット１００の磁気センサ１１２ｃに対応する位置にマグネット２０４ｂが設けられている。
【００３１】
図５は上側ユニット２００が矢印Ｄ２方向に回転した時のセンサおよびマグネットの相対的位置を示す模式図である。図５において、位置Ｌｏ１およびＬｏ４は、図１（ａ）に示す閉じた状態にあるときのマグネット２０４ａおよび２０４ｂのそれぞれの位置を示す。この場合、磁気センサ１１２ａ〜１１２ｃはすべて磁界を検出しており、磁気センサ１１２ａおよび１１２ｂは共にＮ極を検出している。これによって、上側ユニット２００が表示部２０２を内側にして閉じていることを検出できる。
【００３２】
この閉じた状態から上側ユニット２００を矢印Ｄ２方向に回転させると、マグネット２０４ａはたとえば位置Ｌｏ２へ移動する。この場合、磁気センサ１１２ｂは依然としてＮ極の磁界を検出しているが、他の磁気センサ１１２ａおよび１１２ｃはすべて磁界を検出しなくなる。これによって、上側ユニット２００が左方向に約９０°回転したことを検出できる。
【００３３】
図１（ａ）の閉じた状態から図１（ｂ）のように上側ユニット２００を開くと、マグネット２０４ｂは磁気センサ１１２ｃから離れ、さらに、マグネット２０４ａは位置Ｌｏ３へ移動する。したがって、磁気センサ１１２ａ〜１１２ｃはすべて磁界を検出しなくなる。これによって、上側ユニット２００が開いていることを検出できる。
【００３４】
さらに、図１（ｃ）および（ｄ）に示すように表示部２０２を外側に向けて閉じた状態では、上側ユニット２００が上限反転しているために、磁気センサ１１２ａおよび１１２ｂは共にＳ極を検出し、かつ、磁気センサ１１２ｃはマグネット２０４ｂが反対側にあるために磁界を検出しない。これによって、上側ユニット２００が表示部２０２を外側に向けて閉じていることを検出できる。
【００３５】
このようにして磁気センサ１１２ａ〜１１２ｃの出力をモニタすることにより、下側ユニット１００に対する上側ユニット２００の姿勢を判定することができる。姿勢判定のための回路は、次に述べるように、携帯電話機５００の内部に設けられている。
【００３６】
図６は、本発明の第１実施形態による携帯電話機の内部電気回路を示す回路図である。図１と同じ構成部には同じ参照番号を付している。
【００３７】
図６において、下側ユニット１００には、上述した構成部、すなわち、主操作部１０２、シャッタ／キー用の副操作部１０４、カメラ１１０、カメラ用光源であるフラッシュ１１１、および、磁気センサ１１２ａ〜１１２ｃの他に、次に述べる回路ブロックを有する。
【００３８】
磁気センサ１１２ａ〜１１２ｃの各出力は姿勢検出部１１３に入力し、姿勢検出部１１３は、上述したように上側ユニット２００の下側ユニット１００に対する相対的な位置（姿勢）を検出する（たとえば、図１に示すような各姿勢）。検出された姿勢は携帯電話機の制御部１１７へ通知され、上側ユニット２００の姿勢に応じて携帯電話機のモードや機能の変更などを行うことができる（詳しくは後述する）。制御部１１７は、携帯電話機の着信制御、通信制御、後述するカメラ機能制御などの全体的制御を行うものであり、具体的にはＣＰＵなどのプログラム制御プロセッサである。
【００３９】
上側ユニット２００の主表示部２０２および副表示部２０６は表示制御部１１４に接続され、表示制御部１１４は、制御部１１７の制御の下で、これら主表示部２０２および副表示部２０６の表示を制御する。また、カメラ１１０およびフラッシュ１１１はカメラ制御部１１５に接続され、カメラ制御部１１５は、制御部１１７の制御の下で、カメラ１１０およびフラッシュ１１１を制御する。
【００４０】
下側ユニット１００の主操作部１０２およびシャッタ／キー用の副操作部１０４と、上側ユニット２００の副操作部２０７とはキー制御部１１６に接続され、制御部１１７の制御に従って、操作キーの機能割り当て変更を行うことができる。たとえば、本実施形態におけるシャッタ／キー用の副操作部１０４は、カメラモードではシャッタ等のカメラ操作キーとして、通常の通信モードではスクロールキーとして機能する。
【００４１】
なお、下側ユニット１００には、そのほかに、携帯電話通信系の回路や着信報知系の回路も設けられているが、ここでは説明を省略する。
【００４２】
上述したように、制御部１１７は、姿勢検出部１１３により検出された上側ユニット２００の姿勢に応じて、携帯電話機の動作モードやカメラ機能を制御することができる。以下、この動作制御について説明する。
【００４３】
図７（ａ）は本発明によるカメラ付き折り畳み式携帯電話機の動作制御の第１例を示すフローチャートであり、（ｂ）は第２例を示すフローチャートである。
【００４４】
図７（ａ）に示す動作制御では、姿勢検出部１１３が図２（ａ）に示すカメラ形態、すなわち表示部２０２およびカメラ１１０が互いに外側を向いて閉じられた状態、を検出したときのみ、制御部１１７はカメラ１１０およびフラッシュ１１１を利用可能にする。
【００４５】
具体的には、制御部１１７は撮影モードに設定されているか否かを判断し（ステップＳ１０１）、撮影モードに設定されていれば（ステップＳ１０１のＹｅｓ）、さらに姿勢検出部１１３の検出信号をチェックしてカメラ１１０と表示部２０２とが反対面に（反対方向に）露出しているか、すなわち図２（ａ）に示すカメラ形態であるか否かを判定する（ステップＳ１０２）。
【００４６】
図２（ａ）に示すカメラ形態であれば（ステップＳ１０２のＹｅｓ）、制御部１１７はカメラ機能を有効にする（ステップＳ１０３）。撮影モードに設定されていない場合（ステップＳ１０１のＮｏ）あるいは図２（ａ）に示すカメラ形態でない場合（ステップＳ１０２のＮｏ）、制御部１１７はカメラ機能のすべてあるいは一部を無効にする（ステップＳ１０４）。
【００４７】
なお、カメラ機能を有効する場合、カメラ機能のすべてを有効にすることもできるが、上側ユニット２００の姿勢に応じて一部の機能（撮像、ズーム、フラッシュなどのなかの任意の機能）を有効にすることもできる。
【００４８】
たとえば、カメラ１１０がズーム機能を有している場合、図２（ａ）に示すカメラ形態が検出されたときのみ、ズーム機能を利用可能にしてもよい。上述したように図２（ａ）に示すカメラ形態は保持し易く撮影に適したポジションをとることができるために、ズーム機能使用時に顕著に現れる手ぶれなどによる撮影ミスを有効に防止できる。
【００４９】
図７（ｂ）に示す動作制御では、姿勢検出部１１３が図２（ｂ）に示すカメラ形態、すなわち表示部２０２およびカメラ１１０が同じ方向を向いて開かれた状態、を検出したときに、制御部１１７はカメラ１１０で撮像された画像の表示モードを変更する。たとえば、図２（ｂ）に示す姿勢は撮影者自身を撮影することができるために、表示モードを反転ミラー表示にすると便利である。
【００５０】
具体的には、制御部１１７は撮影モードに設定されているか否かを判断し（ステップＳ２０１）、撮影モードに設定されていれば（ステップＳ２０１のＹｅｓ）、さらに姿勢検出部１１３の検出信号をチェックしてカメラ１１０と表示部２０２とが同一面に（同一方向に）露出しているか、すなわち図２（ｂ）に示すカメラ形態であるか否かを判定する（ステップＳ２０２）。
【００５１】
図２（ｂ）に示すカメラ形態であれば（ステップＳ２０２のＹｅｓ）、制御部１１７はカメラ制御部１１５および表示制御部１１４を制御して撮像表示を反転ミラー表示に設定する（ステップＳ２０３）。図２（ｂ）に示すカメラ形態でない場合には（ステップＳ２０２のＮｏ）、制御部１１７は撮像表示を通常のファインダ表示に設定する（ステップＳ２０４）。また、撮影モードに設定されていない場合には（ステップＳ２０１のＮｏ）、通常表示モードに設定される（ステップＳ２０５）。
【００５２】
図８は本発明によるカメラ付き折り畳み式携帯電話機の動作制御の第３例を示すフローチャートである。図８に示す動作制御では、姿勢検出部１１３が図２（ａ）に示すカメラ形態、すなわち表示部２０２およびカメラ１１０が互いに外側を向いて閉じられた状態、を検出したときにカメラ機能が自動的に起動し、図２（ａ）に示すカメラ形態から外れるとカメラ機能が自動的に終了する。
【００５３】
まず、制御部１１７は姿勢検出部１１３の検出信号をチェックして上側ユニット２００と下側ユニット１００との相対的位置関係に変化があったか否かを判定する（ステップＳ３０１）。位置変化を検出すると（ステップＳ３０１のＹｅｓ）、制御部１１７は、さらに、カメラ１１０と表示部２０２とが反対面に（反対方向に）露出しているか、すなわち図２（ａ）に示すカメラ形態であるか否かを判定する（ステップＳ３０２）。図２（ａ）に示すカメラ形態であれば（ステップＳ３０２のＹｅｓ）、制御部１１７はカメラ機能を自動的に起動する（ステップＳ３０３）。
【００５４】
カメラ機能が起動した状態で、制御部１１７は姿勢検出部１１３の検出信号をチェックし、上側ユニット２００と下側ユニット１００との相対的位置関係に変化があったか否かを判定する（ステップＳ３０４）。位置変化を検出すると（ステップＳ３０４のＹｅｓ）、制御部１１７はカメラ機能を自動的に終了する（ステップＳ３０５）。たとえば図２（ａ）に示すカメラ形態から開いた状態にすることで、カメラ機能が自動的に終了する。
【００５５】
このように、携帯電話機を図２（ａ）に示すような撮像に適したポジションに変位させるという簡単な操作でカメラ機能を素早く立ち上げることができ、ミスの少ない撮像操作を行うことができる。また、カメラ機能が起動中に、上側ユニット２００を開くなどの簡単な操作をすることでカメラ機能から他の機能へ切り替えることができ、操作をよりスムースに進めることができる。
【００５６】
なお、上記実施形態では、下側ユニット１００の裏面１００ｂにカメラ１１０およびフラッシュ１１１がそれぞれ設けられているが、カメラ１１０および／またはフラッシュ１１１を裏面１００ｂに着脱可能なユニットに一体的に設けてもよい。このような着脱可能なユニットとしてはバッテリユニットがある。撮像に適したカメラおよび／またはカメラ用光源をバッテリユニットとともに着脱可能にすることで、撮影の幅を更に広げることができる。
【００５７】
【発明の効果】
以上説明したように、本発明によれば、上側ユニットの表示部の向きを変更することにより、カメラシャッタとして用いることができる副操作部が表示部の上に位置するように形態を変更することができ、ユーザは通常のカメラを保持するように保持することができる。このために、操作性が大幅に向上し、通常のカメラに慣れているユーザになじみやすく、手ぶれ等の撮影ミスを未然に防止することができる。
【図面の簡単な説明】
【図１】本発明によるカメラ付き折り畳み式携帯電話機の開閉および回転動作の一例を説明するための図であり、（ａ）は表示部を内側にして閉じた状態の携帯電話機の平面図、（ｂ）は上側ユニットを開いた状態の平面図、（ｃ）は表示部を外側にして閉じた状態のカメラ側から見た裏面図、および、（ｄ）は表示部を外側にして閉じた状態の表示部側から見た平面図である。
【図２】（ａ）は、図１（ｄ）に示すような表示部を外側にして閉じた状態でカメラとして使用する場合の保持形態の一例を示す図であり、（ｂ）は、図１（ａ）に示す閉じた状態から矢印Ｄ２方向に回転させて開いた状態を示す背面図である。
【図３】本発明の第１実施形態によるヒンジユニットの斜視図である。
【図４】本実施形態における上側ユニットの姿勢検出機構の一例を示す図であり、（ａ）は下側ユニット１００に設けられた磁気センサの配置図であり、（ｂ）は上側ユニット２００に設けられたマグネットの配置図である。
【図５】上側ユニット２００が矢印Ｄ２方向に回転した時のセンサおよびマグネットの相対的位置を示す模式図である。
【図６】本発明の第１実施形態による携帯電話機の内部電気回路を示す回路図である。
【図７】（ａ）は本発明によるカメラ付き折り畳み式携帯電話機の動作制御の第１例を示すフローチャートであり、（ｂ）は第２例を示すフローチャートである。
【図８】本発明によるカメラ付き折り畳み式携帯電話機の動作制御の第３例を示すフローチャートである。
【符号の説明】
１００  下側ユニット
１０２  キー操作部
１０３  マイクロフォン
１０４ａ、１０４ｂ  副操作部
１１０  カメラ
１１１  フラッシュ
２００  上側ユニット
２０２  表示部
２０３  スピーカ
３００  ヒンジ部
【図１】
2004336092.tif 000003
【図２】
2004336092.tif 000004
【図３】
2004336092.tif 000005
【図４】
2004336092.tif 000006
【図５】
2004336092.tif 000007
【図６】
2004336092.tif 000008
【図７】
2004336092.tif 000009
【図８】
2004336092.tif 000010